(57)【特許請求の範囲】
【請求項１】
高圧電力伝送線路及び一般のデータ、音声、映像等の情報を伝達する第１光信号伝送線路が巻回されると共に、接地線路及び消防法で定められた自動火災報知設備や非常放送設備などに信号を伝達する第２光信号伝送線路が巻回され、外部高圧電力伝送配線と当該高圧電力伝送線路とを電気接続するスリップリング及び外部第１光信号伝送配線と当該第１光信号伝送線路とを光接続する光ロータリージョイントを備え、外部接地配線と当該接地線路とを電気接続するスリップリング及び外部第２光信号伝送配線と当該第２光信号伝送線路とを光接続する光ロータリージョイントを備えたケーブルリールが固定配置され、可動観客席の移動に伴い前記各伝送線路がケーブルリールから繰り出し又はケーブルリールに巻回される如く構成され、前記ケーブルリールは、高圧電力伝送線路と第１光信号伝送線路がゴム又はプラスチックシースで一括被覆された平型ケーブルの巻枠と、接地線路と第２光信号伝送線路がゴム又はプラスチックシースで一括被覆された平型ケーブルの巻枠を備えていることを特徴とする可動観客席への電力及び光信号供給装置。
【発明の詳細な説明】
【０００１】
【発明の属する技術分野】
本発明は、多目的スタジアム等に設備された可動観客席へ電力及び情報信号を供給するための可動観客席への電力及び光信号供給装置に関するものである。
【０００２】
【従来の技術】
従来の競技場は、競技フィールドや観客席は建設当初から主目的競技種目に対応して固定的に配置されており、競技フィールド内で開催することができる中小規模の競技に対しては、仮設スタンドを組んだり、折りたたみイスを配置するなどして応急的に対応している。
【０００３】
近年、競技場の効率的な利用及び観客の良好な視界の確保のため、競技の種類及び規模に応じて観客席を移動可能にした多目的競技場が提案されている。
【０００４】
【発明が解決しようとする課題】
可動観客席には、観客席を移動する台車の動力源となる電気モータ駆動用電力、照明用電力等の電力供給、また、消防法で定める自動火災報知設備や非常放送設備等を含むデータ、音声、映像等の情報伝送が必要となるが、電力供給や情報伝送を効率的に行うための手段についてはこれまで提案されていない。
【０００５】
本発明は、可動観客席への電力供給及び情報伝送を容易に行うことができる、可動観客席への電力及び光信号供給装置の提供を目的とするものである。
【０００６】
【課題を解決するための手段】
上記目的を達成するため、本発明は、高圧電力伝送線路及び一般のデータ、音声、映像等の情報を伝達する第１光信号伝送線路が巻回されると共に、接地線路及び消防法で定められた自動火災報知設備や非常放送設備などに信号を伝達する第２光信号伝送線路が巻回され、外部高圧電力伝送配線と当該高圧電力伝送線路とを電気接続するスリップリング及び外部第１光信号伝送配線と当該第１光信号伝送線路とを光接続する光ロータリージョイントを備え、外部接地配線と当該接地線路とを電気接続するスリップリング及び外部第２光信号伝送配線と当該第２光信号伝送線路とを光接続する光ロータリージョイントを備えたケーブルリールが固定配置され、可動観客席の移動に伴い前記各伝送線路がケーブルリールから繰り出し又はケーブルリールに巻回される如く構成され、前記ケーブルリールは、高圧電力伝送線路と第１光信号伝送線路がゴム又はプラスチックシースで一括被覆された平型ケーブルの巻枠と、接地線路と第２光信号伝送線路がゴム又はプラスチックシースで一括被覆された平型ケーブルの巻枠を備えている可動観客席への電力及び光信号供給装置を提供する。
【０００８】
上記構成により、一個のケーブルリールでもって高圧電力伝送と接地回路の形成に加えて各種情報の伝送が可能となる。
【０００９】
【発明の実施の形態】
以下、図１乃至図６を参照して本発明の実施の形態を説明する。
【００１０】
図１は固定観客席と可動観客席を有するドーム競技場の概略説明図であり、１は固定観客席、２は可動観客席である。通常は可動観客席２を競技場のほぼ中央部に配置し、第一アリーナ３と第二アリーナ４の二つのアリーナに分離することにより、多目的に利用できるようになっている。なお、図１において、５は電動式の移動台車、６はドームの天井に固定されたケーブルリール、７は平型ケーブル、８は平型ケーブル７を収容するケーブルラックである。
【００１１】
ここで、サッカーのように広いスペースを必要とする競技が行われるときは、可動観客席２を図中の矢印Ａ方向に移動させることによって、図２に示すような広い競技スペース９にすることができる。この場合、移動台車５に対する電力の供給はケーブルリール６に巻かれた平型ケーブル７により行われ、平型ケーブル７は、可動観客席２が矢印Ａ方向に移動するに従ってケーブルリール６から繰り出されて伸張される。
【００１２】
図３は、ケーブルリール６の取付状態及び平型ケーブル７の伸張状態を示す概略説明図である。ケーブルリール６は支持架台１１によってドームの天井１０に固定されており、平型ケーブル７はケーブルラック８に沿って伸張され、その先端に近い部分は固定金具１２でもってケーブルラック８に固定されている。
【００１３】
図４は、本発明において使用される平型ケーブル７の一実施例を示したものであり、３本の電力伝送コア１３と２本の光信号伝送コア１４とをクロロプレンゴムシース１５で一括被覆した平型キャブタイヤケーブルが例示されている。電力伝送コア１３は導体１６、絶縁体１７、内層クロプレンシース１８、補強層１９により構成されており、光信号伝送コア１４はテンションメンバ２０、光ファイバ２１、ゴムシース２２、補強層２３により構成されている。
【００１４】
図５は、本発明において使用されるケーブルリール６の一実施例の説明図であり、図６は、ケーブルリール６付近における配線系統の一実施例の説明図である。ケーブルリール６は、２本の平型ケーブル２５ａ及び２５ｂをそれぞれ巻き取るための巻枠２４ａ及び２４ｂを有している。平型ケーブル２５ａ、２５ｂは図４で説明した平型ケーブルと同様の構造をしており、平型ケーブル２５ａは、移動台車５あるいは照明装置等に電力を供給する高圧電力伝送線路と、一般のデータ、音声、映像等の情報を伝達する第１光信号伝送線路とがクロロプレンゴムシースで一括被覆されて構成され、平型ケーブル２５ｂは、接地線路と消防法で定められた自動火災報知設備や非常放送設備などに信号を伝達する第２光信号伝送線路とがクロロプレンゴムシースで一括被覆されて構成されている。
【００１５】
電力系統の外部配線（高圧電力伝送配線、接地配線）２６ａ、２６ｂと平型ケーブル２５ａ、２５ｂの電力伝送線路（高圧電力伝送線路、接地線路）とはスリップリング２７ａ、２７ｂを介して電気接続がなされており、光信号伝送系統の外部配線（第１、第２光信号伝送配線）２８ａ、２８ｂと平型ケーブル２５ａ、２５ｂの第１、第２光信号伝送線路との接続は光ロータリージョイント３０ａ、３０ｂを介して光学的接続がなされている。２９ａ、２９ｂ、３１ａ、３１ｂは光成端箱であり、光成端箱２９ａ、２９ｂには外部配線２８ａ、２８ｂが引き込まれ、光成端箱３１ａ、３１ｂには可動観客席の各部に情報信号を伝達する光信号配線３２ａ、３２ｂが引き込まれている。光成端箱２９ｂと光ロータリージョイント３０ｂとの間は巻枠を迂回して布設されている光ケーブル３４を介して接続されるが、光ケーブル３４は、必要に応じて支持アーム等に固定されて布設される。平型ケーブル２５ａ、２５ｂの電力伝送線路は電力配線３３ａ、３３ｂを介して可動観客席の各部との接続がなされる。
【００１６】
光ロータリージョイント３０ａ、３０ｂは、同一軸において互いに相対回転しあう二つの構成素子を主体としていて、一方を固定側に、他方を回転側に連結し、当該構成素子間で光信号を伝播することにより光結合を行う公知のものであり、例えば特公平４−６２０４２号公報に記載されている。
【００１７】
３５は三相トルクモータ、３６は電磁ブレーキであり、これによって平型ケーブル２５ａ、２５ｂが巻き取られたり、繰り出されたりするときの張力を一定に保つことができ、可動観客席の動きに追随した巻取り、繰り出しが可能となる。
【００１８】
【発明の効果】
以上説明してきたように、本発明によれば、可動観客席への電力供給及び情報伝送を容易かつ効率的に行うことができるようになる。
【図面の簡単な説明】
【図１】固定観客席と可動観客席を有するドーム競技場の概略説明図。
【図２】可動観客席を移動したドーム競技場の概略説明図。
【図３】ケーブルリールの取付状態及び平型ケーブルの伸張状態を示す概略説明図。
【図４】平型ケーブル７の一実施例の説明図。
【図５】本発明において使用されるケーブルリールの一実施例の説明図。
【図６】ケーブルリール付近における配線系統の一実施例の説明図。
【符号の説明】
１  固定観客席
２  可動観客席
６  ケーブルリール
７、２５ａ、２５ｂ  平型ケーブル
８  ケーブルラック
１３  電力伝送コア
１４  光信号伝送コア
１５  クロロプレンゴムシース
２４ａ、２４ｂ  巻枠
２７ａ、２７ｂ  スリップリング
３０ａ、３０ｂ  光ロータリージョイント
【図１】
0003986714.tif 000002
【図２】
0003986714.tif 000003
【図３】
0003986714.tif 000004
【図４】
0003986714.tif 000005
【図５】
0003986714.tif 000006
【図６】
0003986714.tif 000007